(57)【要約】【課題】　小さく簡便な構成で、細かい泡を生じさせてビールを注ぐことのできるビールの発泡注出器を提供する。【解決手段】　発泡注出器１は、下面側にビール缶２への係合装着部２０を備える本体部１０の一方端部に取っ手部３０が垂下形成されると共に、他端上面側に注ぎ口部４０が側方に突出形成され、注ぎ口部４０内の注出流路４１に素焼きの陶器によって円柱状に形成され発泡ビーズ６０が挿置されて構成されている。【選択図】　図３
2004043033.tif 000002
【特許請求の範囲】
【請求項１】
ビール缶の開口部に着脱可能に結合する装着部と、前記開口部と連通するビール流路を備えビール缶の側方に突出する注ぎ口部とを有すると共に、そのビール流通経路中に表面に微細な凹凸を有する発泡誘因部材が介装され、該注ぎ口部と該装着部とは連通口を有する基板部を挟んで上下に形成されており、前記装着部は、前記基板部の下面側に、ビール缶の上蓋周囲の巻締め部に係合する固定係合爪と、缶開口部の周囲を巡るシール部材とを備え、前記シール部材が前記上蓋に圧接されて当該ビール缶の開口部と前記連通口とを水密的な連通状態と成し得るように構成されていることを特徴とするビールの発泡注出器。
【請求項２】
該注ぎ口部内のビール流路は、そのビール流通方向と直交する断面形状が横長の平板状であって、該発泡誘因部材は軸状で前記ビール流路内に略平行に挿置され、ビールが該発泡誘因部材と該ビール流路の側面の間を流通するように構成されていることを特徴とする請求項１に記載のビールの発泡注出器。
【発明の詳細な説明】
【技術分野】
【０００１】
　本発明は、ビールを収容した容器の開口部に装着して微細な泡を生じさせて注ぐビールの発泡注出器に関する。
【背景技術】
【０００２】
　近時、家庭等において使用できる小型のビアサーバーが種々提供されている。ビアサーバーは、圧縮炭酸ガス（二酸化炭素ガス）が充填された小型ボンベ又は空気ポンプ等の圧縮気体供給手段から供給される圧縮気体の圧力でビール缶内のビールを圧送して注出ノズルから注ぎ出すように構成され、きめ細かく消え難い泡を多く発生させてビールを注ぐことができる。
【０００３】
　ビールの泡は、ビール中に含まれる炭酸ガスが空気中に逃げるのを防ぐと共に、ビールが直接空気（酸素）と触れることによる酸化を防ぐように作用し、ビールの味を持続させることができるものである。
【発明の開示】
【発明が解決しようとする課題】
【０００４】
　しかしながら、上記のごとき家庭用ビアサーバーは、小型とは言うものの圧縮炭酸ガス（二酸化炭素ガス）のボンベや空気ポンプ等の圧縮気体を供給する圧縮気体供給手段を備える必要から缶ビール等のビール収容容器そのものに対して大きく、持ち運びや操作が面倒なものであった。
【０００５】
　本発明は、上記問題に鑑みてなされたものであって、小さく簡便な構成で、細かい泡を生じさせてビールを注ぐことのできるビールの発泡注出器を提供することを目的とする。
【課題を解決するための手段】
【０００６】
　上記目的を達成する本発明のビールの発泡注出器は、ビール缶の開口部に着脱可能に結合する装着部と、前記開口部と連通するビール流路を備えビール缶の側方に突出する注ぎ口部とを有すると共に、そのビール流通経路中に表面に微細な凹凸を有する発泡誘因部材が介装され、該注ぎ口部と該装着部とは連通口を有する基板部を挟んで上下に形成されており、前記装着部は、前記基板部の下面側に、ビール缶の上蓋周囲の巻締め部に係合する固定係合爪と、缶開口部の周囲を巡るシール部材とを備え、前記シール部材が前記上蓋に圧接されて当該ビール缶の開口部と前記連通口とを水密的な連通状態と成し得るように構成されていることを特徴とする。
【０００７】
　本発明の１側面において、該注ぎ口部内のビール流路は、そのビール流通方向と直交する断面形状が横長の平板状であって、該発泡誘因部材は軸状で前記ビール流路内に略平行に挿置され、ビールが該発泡誘因部材と該ビール流路の側面の間を流通するように構成されていることを特徴とする。
【発明の効果】
【０００８】
　本発明に係る発泡注出器によれば、ビール収容容器の開口部に着脱可能に結合する装着部と、開口部と連通するビール流路を備える注ぎ口部と、を有すると共に、そのビール流通経路中に表面に微細な凹凸を有する発泡誘因部材が介装されて構成されていることにより、発泡誘因部材がその表面の微細な凸凹によってビール流通経路を流れるビールからの炭酸ガスの気化を誘発し、ビールに微細な泡を生じさせて注ぐことができる。即ち、小さく簡便な構成で細かい泡を生じさせてビールを注ぐことができるものである。
【０００９】
　また、注ぎ口部と装着部とは連通口を有する基板部を挟んで上下に形成されており、装着部は、基板部の下面側に、ビール缶の上蓋周囲の巻締め部に係合する固定係合爪と、缶開口部の周囲を巡るシール部材とを備え、シール部材が上蓋に圧接されて当該ビール缶の開口部と連通口とを水密的な連通状態と成し得るように構成されていることにより、ビール缶への装着及びビール缶からの離脱を容易に行うことができる。
【００１０】
　また、注ぎ口部内のビール流路は、そのビール流通方向と直交する断面形状が横長の平板状であって、発泡誘因部材は軸状でビール流路内に略平行に挿置され、ビールが発泡誘因部材とビール流路の側面の間を流通するように構成されていることにより、ビールが軸状の発泡誘因部材に沿って流れるため、適度の泡を効率良く生成させて注ぐことができる。
【発明を実施するための最良の形態】
【００１１】
　以下、添付図面を参照して本願発明の実施の形態について説明する。　
　図１は本願発明に係るビールの発泡注出器の一構成例である発泡注出器をビール缶に結合した状態の一部分解外観斜視図，図２はその平面図，図３は主要部縦断面図，図４は下面図，図５は正面図である。
【００１２】
　図示発泡注出器１は、下面側にビール缶２への係合装着部２０を備える本体部１０の一方端部に取っ手部３０が垂下形成されると共に、他端上面側に注ぎ口部４０が側方に突出形成されて構成されている。
【００１３】
　本体部１０は、平面形状が装着対象とするビール収容容器としてのビール缶２の上蓋を覆い得る円形状の基板部１１の上側を略半球状の天蓋部１２が覆って中空状に形成されている。その内部空間は仕切板１３によって前後に仕切られてその前方側が流路空間１４となっている。
【００１４】
　基板部１１は、平面形状がビール缶２の上蓋を覆い得る円形状で、その外周縁に所定幅の取っ手基部１１Ａが延設され、装着時にビール缶２の開口部と対応する位置に所定径の連通孔１１Ｂが流路空間１４と下面側を連通するように形成されると共に、仕切り板２３より後端側（取っ手部３０側）に所定径の通気孔１１Ｄが上下を貫通して形成されている。この通気孔１１Ｄは、天蓋部１２の後端下縁と基板部１１の上面との間に形成された隙間１６を介して外部に連通している。また、下面中央に所定高さのシール支持壁１１Ｃが装着対象とするビール缶２の上蓋の周縁内側部に沿う円環状に突設されている。取っ手基部１１Ａの両側縁からは所定厚さの取っ手側板３１が所定長さで垂下延設され、この左右の取っ手側板３１の内側縁が一体に連続して取っ手部３０が形成されている。
【００１５】
　係合装着部２０は、シール支持壁１１Ｃにシール部材としてのシールが２１装着されると共に、取っ手基部１１Ａに可動爪部材としての弾性可動爪２２が装着され、更に、この弾性可動爪２２とシール２１を挟む位置に固定係合爪２３が対向して設けられて構成されている。
【００１６】
　シール２１は、軟質のシリコン樹脂等の弾性素材によって形成され、シール支持壁１１Ｃと対応する環状（即ちビール缶２の上蓋の周縁内側部に沿う円環状）で、その先端部断面は幅広で所定角度の山形を呈している。
【００１７】
　固定係合爪２３は、基板部１１の下面からビール缶２の上蓋巻き締め部の外周縁と対応する円弧状に所定幅で突設され、その下端には巻き締め部の下縁に係合する爪部２３Ａが内側（中心側）に向けて突設されている。
【００１８】
　弾性可動爪２２は、ポリアセタール樹脂等の所定の弾性を有すると共に摩擦の少ない素材によって、所定幅の爪本体部２２Ａから付勢手段としての所定厚さの板状のバネ部２２Ｂが延設されて形成されており、そのバネ部２２Ｂの端部左右両側に突設された係合突起２２Ｃが取っ手側板３１に形成された装着孔３１Ａに回転可能に嵌合すると共に、爪本体部２２Ａの左右両側に形成された段部２２Ｄが取っ手側板３１の内側に形成されたガイド突起３２に係合して本体部１０に装着されている。バネ部２２ＢはＵ字状に屈曲されており、爪本体部２２Ａはこのバネ部２２Ｂの弾性復帰力で前方側（中心側）に移動付勢され、バネ部２２Ｂの弾性復帰力に抗することでガイド突起３２に沿って後方側に移動し得るようになっている。爪本体部２２Ａの先端は、固定係合爪２３と同様の爪部２２Ｅが突設されると共に、その下側が所定勾配で後退する操作傾斜面２２Ｆとなっている。
【００１９】
　バネ部２２Ｂの付勢による爪本体部２２Ａの前方への移動は先端（爪部２２Ｅ）がシール支持壁１１Ｃに当接して止まり、その状態における爪部２２Ｅと固定係合爪２３の爪部２３Ａとの間隔は、装着対象のビール缶２の被装着部（上蓋周囲の巻締め部）の直径より所定量狭くなるように設定されている。
【００２０】
　注ぎ口部４０は、取っ手部３０と対称位置に、天蓋部１２から基板部１１と平行に突設されており、その内部に流路空間１４と外部とを連通するビール流路としての注出流路４１が形成されている。その外面は天蓋部１２との接続基部から先端に向けて所定勾配で先細りに形成されると共に、先端が一段細い嵌合部４２となっており、この嵌合部４２に先端キャップ部材としての注出口キャップ５０が被着されている。
【００２１】
　注ぎ口部４０に形成された注出流路４１は、図３のＡ−Ａ断面図である図６（Ａ）に示すように、厚さ（高さ方向）に対して幅（左右方向）が広く、その左右両側壁に薄い支持リブ４１Ａが水平に突設されている。この流出流路４１は先述のごとく流路空間１４に連通し、流通空間１４は連通孔１１Ｂを介して基板部１１の下側に連通しているため、注出流路４１と基板部１１の下側とが流路空間１４を介して連通しているものである。
【００２２】
　注出口キャップ５０は、注ぎ口部４０の先端の嵌合部４２に嵌合し、外面が注ぎ口部４０と連続すると共に、その前面に注出流路４１と対応する注出口５１が形成されている。注出口５１の幅方向中央には押さえ突部５２が突設されている。
【００２３】
　ここで、注出流路４１には、図３及びそのＡ−Ａ断面図である図６（Ａ）に示すように、左右の支持リブ４１Ａの間に発泡誘因部材としての発泡ピース６０が挿置されており、左右両側の壁面と当該発泡ピース６０の間に形成された流路空間４１Ｂをビールが流れるようになっている。
【００２４】
　発泡ピース６０は、素焼きの陶器によって円柱状に形成され、その長さは、後端が天蓋部１２の仕切り板１３に直交して設けられたリブ１５に当接した装着状態で、先端が注ぎ口部４０の前面（注出口キャップ５０を除く）から突出せず略一致するように設定されている。また、その径は、注出流路４１の上下面及び支持リブ４１Ａの対向先端間に所定公差で遊嵌するように設定されている。その注出流路４１への挿置は先端側から行われ、注ぎ口部４０の嵌合部４２に装着された注出口キャップ５０の押さえ突部５２によって脱落が防がれるようになっている。つまり、図１に示すように、注出口キャップ５０の着脱によって発泡ピース６０の抜き差しができるようになっているものである。
【００２５】
　上記のごとく構成された発泡注出器１は、図７（Ｂ）に示すように、ビール缶２に係合装着部２０の固定係合爪２３と可動爪２３を上蓋２Ａの巻き締め部２Ｂに係合させ、シール２１を上蓋２Ａに圧接させて装着される。貫通孔１１Ｂは、ビール缶２の開口された開口部２Ｄと対応し、これによって図３及び図７（Ｂ）中矢印で示すように、流路空間１４とビール缶２の内部が貫通孔１１Ｂを介して連通し、取っ手部３０を把持して傾けることでビール缶２内のビールを注出口５１から注ぐことができる。ビールの注出に伴ってビール缶２内には通気孔１１Ｄを介して空気が供給される。
【００２６】
　この注出時、ビールは注出流路４１に挿置された発泡ピース６０に沿って（触れて）流れ、発泡ピース６０の表面の微細な凸凹によって含まれる炭酸ガスの気化が誘発されて泡が生成される。つまり、ビールに微細な泡を生じさせて注ぐことができるものである。発泡ピース６０に汚れが付着する等して発泡機能が低下した場合には、注ぎ口部４０から注出口キャップ５０を外して発泡ピース６０を抜き取り、洗浄した後再び挿置することで発泡機能を回復できる。
【００２７】
　係合装着部２０による発泡注出器１のビール缶２への装着は、図７（Ａ）に示すように、固定係合爪２３の爪部２３Ａを、ビール缶２の上蓋２Ａ周囲の巻締め部２Ｂの下側段部に引っ掛け、ここを支点として図中矢印：Ｘで示すように前端側を押さえつつ後端側（取っ手部３０側）を押し下げることで行うことができる。即ち、ビール缶１の固定係合爪２３が係合している部位と対称部位の巻締め部２Ｂの上縁部が弾性可動爪２２の爪本体部２２Ａの操作傾斜面２２Ｆに当接して爪本体部２２Ａを押圧し、バネ部２２Ｂの付勢力に抗して後方側にスライドさせ、爪部２２Ｅの先端が巻締め部を乗り越えてその下側段部に達するとバネ部２２Ｂの付勢力で爪本体部２２Ａが前方側に戻り、これによって図７（Ｂ）に示すように固定係合爪２３と弾性可動爪２２とでビール缶２の上蓋巻締め部２２Ｂを挟んだ脱落不能な係合状態となるものである。この時、シール２１はその先端がビール缶２の上蓋２Ａの周縁内側部位に圧接され、内外を気密的にシールする。これにより、ビール缶２の内部と発泡注出器１の注出流路４１とが、ビール缶２の開口部２Ｄ及び連通口１１Ｂを介して連通する。
【００２８】
　また、発泡注出器１をビール缶２から取り外す際には、図７（Ｂ）中矢印：Ｙで示すように、後端下側に突出する弾性可動爪２２のバネ部２２Ｂを支持して装着時とは逆に図中反時計回りにこじることで、弾性可動爪２２の爪本体部２２Ａを後退させて容易に外すことができる。
【００２９】
　尚、上記構成例は、ビール缶に装着する発泡注出器の例であるが、本発明に係る発泡注出器はこれに限らず瓶又はその他の容器に適用しても良いものである。
【００３０】
　また、発泡誘因部材も、素焼きの陶器によって円柱状に形成された発泡ピース６０に限るものではなく、表面に微細な凹凸を有するものであれば、例えば、ガラス棒の表面をサンドブラスト処理によって曇りガラス化したものを用いる等、適宜変更可能なものである。しかし、素焼きの陶器を用いれば、その表面に自然に不規則で微細な凹凸を有するために微細な泡を生成できると共に製作も容易である。更に、その形状も円柱状に限らず、図７（Ｂ）に６０′として示すように板状としたり、図７（Ｃ）に６０″として示すように筒状としても良く、その配設位置もビールの流通経路中であれば良いものである。
【図面の簡単な説明】
【００３１】
【図１】本願発明に係るビールの発泡注出器の一構成例である発泡注出器をビール缶に結合した状態の一部分解外観斜視図である。
【図２】発泡注出器の平面図である。
【図３】その主要部縦断面図である。
【図４】その下面図である。
【図５】その正面図である。
【図６】（Ａ）は図３のＡ−Ａ断面図，（Ｂ），（Ｃ）は異なる構成例を示す断面図である。
【図７】発泡注出器のビール缶への装着工程を示す説明図である。
【符号の説明】
【００３２】
　　１　発泡注出器
　　２　ビール缶（ビール収容容器）
　　２Ａ　上蓋
　　２Ｂ　巻き締め部
　　２Ｄ　開口部（缶開口部）
　　１１　基板部
　　２０　係合装着部（装着部）
　　２１　シール（シール部材）
　　２２　弾性可動爪（可動爪部材）
　　２２Ｂ　バネ部（付勢手段）
　　３０　取っ手部
　　４０　注ぎ口部
　　４１　注出流路（ビール流路，ビール流通経路）
　　５０　注出口キャップ（先端キャップ部材）
　　６０　発泡ピース（発泡誘因部材）
【図１】
2004043033.tif 000003
【図２】
2004043033.tif 000004
【図３】
2004043033.tif 000005
【図４】
2004043033.tif 000006
【図５】
2004043033.tif 000007
【図６】
2004043033.tif 000008
【図７】
2004043033.tif 000009